(57)【特許請求の範囲】
【請求項１】
ハカマ部材と、このハカマ部材内に嵌合固定される上部にキャップ嵌合部が形成され下部寄りの部位に内筒部材嵌合固定手段および撓み防止片が形成されたキャップへの挿入部材と、このキャップへの挿入部材内に挿入され、内筒部材嵌合固定手段によって嵌合固定される外周部に係合溝が形成された内筒部材と、この内筒部材の係合溝形成部位に形成された前記キャップへの挿入部材の撓み防止片と嵌合する切り溝と、前記キャップへの挿入部材内に下部が挿入されるとともに、前記内筒部材の上部寄りの部位を覆い、該内筒部材の係止溝と回動可能に係合する係止片が下部寄りの部位に形成された外筒部材と、この外筒部材内に上下移動可能に取付けられた化粧品を支持する皿部材と、前記ハカマ部材と前記外筒部材とを回動させることにより前記皿部材を上下移動させることができる上下移動機構とからなることを特徴とする化粧品収納容器。
【請求項２】
四角形状のハカマ部材と、このハカマ部材内に四角筒状の中央部が嵌合固定される上部に四角筒状のキャップ嵌合部が形成され、中央部あるいは下部寄りの円筒部位に内筒部材嵌合固定手段および撓み防止片が形成されたキャップへの挿入部材と、このキャップへの挿入部材内に挿入され、内筒部材嵌合固定手段によって嵌合固定される外周部に係合溝が形成された内筒部材と、この内筒部材の係合溝形成部位に形成された前記キャップへの挿入部材の撓み防止片と嵌合する切り溝と、前記キャップへの挿入部材内に下部が挿入されるとともに、前記内筒部材の上部寄りの部位を覆い、該内筒部材の係止溝と回動可能に係合する係止片が下部寄りの部位に形成された外筒部材と、この外筒部材内に上下移動可能に取付けられた化粧品を支持する皿部材と、前記ハカマ部材と前記外筒部材とを回動させることにより、前記皿部材を上下移動させることができる上下移動機構と、前記外筒部材の外周部を覆い、前記キャップへの挿入部材のキャップ嵌合部あるいは前記外筒部材と着脱可能に嵌合する四角形状のキャップとからなることを特徴とする化粧品収納容器。
【請求項３】
四角形状のハカマ部材と、このハカマ部材内に嵌合固定される上部にキャップ嵌合部が形成された上部キャップへの挿入部材、この上部キャップへの挿入部材の下部に位置あるいは下部に嵌合固定された内筒部材嵌合固定手段が形成された下部キャップへの挿入部材およびこの下部キャップへの挿入部材あるいは前記上部キャップへの挿入部材に形成された撓み防止片とからなるキャップへの挿入部材と、このキャップへの挿入部材内に挿入され、内筒部材嵌合固定手段によって嵌合固定される外周部に係合溝が形成された内筒部材と、この内筒部材の係合溝形成部位に形成された前記キャップへの挿入部材の撓み防止片と嵌合する切り溝と、前記キャップへの挿入部材内に下部が挿入されるとともに、前記内筒部材の上部寄りの部位を覆い、該内筒部材の係止溝と回動可能に係合する係止片が下部寄りの部位に形成された外筒部材と、この外筒部材内に上下移動可能に取付けられた化粧品を支持する皿部材と、前記ハカマ部材と前記外筒部材とを回動させることにより、前記皿部材を上下移動させることができる上下移動機構と、前記外筒部材の外周部を覆い、前記キャップへの挿入部材のキャップ嵌合部あるいは前記外筒部材と着脱可能に嵌合する四角形状のキャップとからなることを特徴とする化粧品収納容器。
【請求項４】
底面に治具挿入孔２７が形成されたハカマ部材２Bと、このハカマ部材２B内に収納された治具挿入孔２７からの治具３０の挿入によって上方へスライド移動する係合解除部材３１と、前記ハカマ部材２B内に下部寄りの部位が嵌合固定される上部にキャップ嵌合部３が形成されたキャップへの挿入部材７Bと、このキャップへの挿入部材７Bの下部寄りの部位に形成された撓み防止片６と、前記キャップへの挿入部材７B内に挿入され、該キャップへの挿入部材７Bの下端部の係合部２８と前記係合解除部材３１の係合解除方向のスライド移動によつて該係合部２８との係合を解除する方向に押し込まれる係合片２９が形成されるとともに、外周部に係止溝１２が形成された内筒部材１３Bと、この内筒部材１３Bの係止溝１２が形成された部位に形成された前記キャップへの挿入部材７Bの撓み防止片６と嵌合する切り溝１４と、前記キャップへの挿入部材７B内に下部が挿入されるとともに、前記内筒部材１３Bの上部寄りの部位を覆い、該内筒部材１３Bの係止溝１２と回動可能に係合する係止片１５が下部寄りの部位に形成された外筒部材１６と、この外筒部材１６内に上下移動可能に取付けられた化粧品を支持する皿部材１７と、前記ハカマ部材２Bと前記外筒部材１６とを回動させることにより、前記皿部材２Bを上下移動させることができる上下移動機構１８とからなることを特徴とする化粧品収納容器。
【発明の詳細な説明】
【０００１】
【発明の属する技術分野】
本発明は口紅、リップクリーム、スチックアイシャドウ、スチックフアンデーション等の化粧品を収納する化粧品収納容器に関する。
【０００２】
【従来の技術】
従来、ハカマ部材と、このハカマ部材の内底部と嵌合する嵌合部、この嵌合部の上部外周部にリング状の巻き締め溝、この巻き締め溝の上部に軸心方向の切欠部を有する内筒部材本体とからなる内筒部材と、この内筒部材の外周部に回動可能に取付けられた螺旋溝を有する螺旋部材と、この螺旋部材の外周部を覆い下端部の前記内筒部材の巻き締め溝と対応する部位で回動可能に巻き締めされた外筒部材と、前記内筒部材内に上下移動可能に取付けられた口紅を支持する該内筒部材の切欠部および前記螺旋部材の螺旋溝と係合する係合ピンを有する皿部材とを用いて口紅等の収納容器を構成している。
【０００３】
【発明が解決しようとする課題】
従来のこの種の口紅収納容器は、外筒部材の下端部を内筒部材に回動可能に巻き締めしているため、皿部材に口紅を充填してしまうと、口紅の交換等は口紅収納容器の組み付け状態では皿部材や内筒部材の掃除が大変でコスト高となり、廃棄処分せざるを得ないという欠点があるとともに、内筒部材と外筒部材を分解することが困難なため再利用することは難しく、産業廃棄物となってしまうという欠点があった。
【０００４】
本発明は以上のような従来の欠点に鑑み、口紅等を充填した後にでも外筒部材や内筒部材を抜き取り、新しい口紅等を容易に充填し直せ、経済的に使用できるとともに、効率よく分解組み立てができ、容易に部品別あるいは素材別に分別することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はハカマ部材と、このハカマ部材内に嵌合固定される上部にキャップ嵌合部が形成され下部寄りの部位に内筒部材嵌合固定手段および撓み防止片が形成されたキャップへの挿入部材と、このキャップへの挿入部材内に挿入され、内筒部材嵌合固定手段によって嵌合固定される外周部に係合溝が形成された内筒部材と、この内筒部材の係合溝形成部位に形成された前記キャップへの挿入部材の撓み防止片と嵌合する切り溝と、前記キャップへの挿入部材内に下部が挿入されるとともに、前記内筒部材の上部寄りの部位を覆い、該内筒部材の係止溝と回動可能に係合する係止片が下部寄りの部位に形成された外筒部材と、この外筒部材内に上下移動可能に取付けられた化粧品を支持する皿部材と、前記ハカマ部材と前記外筒部材とを回動させることにより前記皿部材を上下移動させることができる上下移動機構とで化粧品収納容器を構成している。
【０００７】
【発明の実施の形態】
以下、図面に示す実施の形態により、本発明を詳細に説明する。
【０００８】
図１ないし図１１に示す本発明の第１の実施の形態において、１は本発明の口紅等の化粧品を収納する化粧品収納容器で、この化粧品収納容器１は図２に示すように、下端部が閉塞された円筒形状の金属材製のハカマ部材２と、このハカマ部材２内に嵌合固定される、図３に示すように上部にキャップ嵌合部３が形成され，下部寄りの部位に複数個、本発明の実施の形態では４個の内側へ突出する突起４、４、４、４からなる内筒部材嵌合固定手段５および対向する部位に形成された２個の撓み防止片６、６が形成された金属材製のキャップへの挿入部材７と、このキャップへの挿入部材７内に挿入され、図４に示すように内筒部材嵌合固定手段５によって嵌合固定される下部外周部にリング状の係合溝８が形成され、上部寄りの対向する部位にそれぞれ形成された切欠部９、９間に突起１０を形成した回動抵抗付与部１１、１１およびほぼ中央外周部にリング状の係止溝１２が形成された合成樹脂材製の内筒部材１３と、この内筒部材１３の係止溝１２形成部位の対向する部位に形成された前記キャップへの挿入部材７の撓み防止片６、６と嵌合する切り溝１４、１４と、図５に示すように前記キャップへの挿入部材７内に下部が挿入されるとともに、前記内筒部材１３の上部寄りの部位を覆い、該内筒部材１３の係止溝１２と回動可能に係合する係止片１５が下部寄りの部位に形成された金属材製の外筒部材１６と、この外筒部材１６内に上下移動可能に取付けられた、図６に示すように口紅等の化粧品を支持する合成樹脂材製の皿部材１７と、前記ハカマ部材２と前記外筒部材１６とを回動させることにより前記皿部材１７を上下移動させることができる上下移動機構１８と、前記外筒部材１６の上部を覆い、図７に示すように前記キャップへの挿入部材７のキャップ嵌合部３と着脱可能に嵌合するキャップ１９とで構成されている。
【０００９】
前記上下移動機構１８は前記外筒部材１６の内壁面に形成された複数個の軸心方向のガイド溝２０と、このガイド溝２０の少なくとも１個と係合する、前記皿部材１７の外周部に形成された係合片２１と、前記皿部材１７の中央底面より下方へ突出するように一体成形された下端部に外方に突出し押圧によって内側に引っ込む抜け止め部材２２が形成されたねじ棒２３と、このねじ棒２３と螺合する前記内筒部材１３の上部に形成されたねじ孔２４とで構成されている。
【００１０】
上記構成の化粧品収納容器１は図８に示すように、皿部材１７に形成されたねじ棒２３を内筒部材１３のねじ孔２４に押し込み螺合させることにより、ねじ棒２３の下端部の抜け止め部材２２がねじ孔２４を通過して外方に突出し、該ねじ孔２４からの抜けるのが防止される。
【００１１】
次に、図９に示すように内筒部材１３の上部を外筒部材１６の下部より内部に押し込み、係止溝１２に外筒部材１６の係止片１５を係合させる。
この時、内筒部材１３の係止溝１２が形成されている部位には切り溝１４、１４が形成されているので、比較的容易に撓み、係止溝１２に係止片１５を係合させることができる。
【００１２】
次に、図１０に示すようにキャップへの挿入部材７の上部より外筒部材１６が取付けられた内筒部材１３を内部に押し込み、内筒部材１３の切り溝１４、１４とキャップへの挿入部材７の撓み防止片６、６を嵌合させるとともに、内筒部材１３の係合溝８にキャップへの挿入部材７の内筒部材嵌合固定手段５とを嵌合固定させる。
【００１３】
しかる後、図１１に示すようにハカマ部材２内にキャップへの挿入部材７を押し込み、ハカマ部材２にキャップへの挿入部材７を嵌合固定することにより、組み立てが完了する。
【００１４】
このようにして組み付けられた化粧品収納容器１は、従来と同様にハカマ部材２と外筒部材１６とを持って回動させることにより、皿部材１７を上下移動させることができる。
【００１５】
口紅等の化粧品を充填した後、新たなる口紅等の化粧品に差し替えたり、材質ごとに分別する場合、キャップへの挿入部材７をハカマ部材２より抜き取ることにより、キャップへの挿入部材７より外筒部材１６を強い力で抜き取り方向に引張ることによりキャップへの挿入部材７の内筒部材嵌合固定手段５と内筒部材１３の係合溝８との嵌合が解除され外れるとともに、内筒部材１３と外筒部材１６とを抜き取り方向に引張ることにより、内筒部材１３の切り溝１４、１４形成部位が変形して係止溝１２と係止片１５との係止状態が容易に解除され、外すことができる。
【００１６】
【発明の異なる実施の形態】
次に、図１２ないし図３３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１７】
図１２ないし図１４に示す本発明の第２の実施の形態において、前記本発明の第１の実施の形態と主に異なる点は、キャップへの挿入部材７の内筒部材嵌合固定手段５によって押し圧される係合溝のない内筒部材１３Ａを用いた点で、このように形成された内筒部材１３Ａを用いて構成した化粧品収納容器１Ａにしても、組み付けられると同様な作用効果が得られる。
【００１８】
図１５ないし図１８に示す本発明の第３の実施の形態において、前記本発明の第１の実施の形態と主に異なる点は四角形状のハカマ部材２Ａと、このハカマ部材２Ａとの嵌合部およびキャップ嵌合部３Ａが四角形状に形成されたキャップへの挿入部材７Ａと、四角形状のキャップ１９Ａを用いた点で、このように構成した化粧品収納容器１Ｂにしても、前記本発明の第１の実施の形態と同様な作用効果が得られる。
なお、本発明の実施の形態において、前記本発明の第２の実施の形態の内筒部材１３Ａを用いた化粧品収納容器にしてもよい。
【００１９】
図１９ないし図２１に示す本発明の第４の実施の形態において、前記本発明の第３の実施の形態と主に異なる点は、ハカマ部材２Ａ内に嵌合固定される上部にキャップ嵌合部３Ａが形成された上部キャップへの挿入部材２５と、この上部キャップへの挿入部材２５の下部に嵌合固定される内筒部材嵌合固定手段５および撓み防止片６、６が形成された下部キャップへの挿入部材２６とからなるキャップへの挿入部材７Ｂを用いた点で、このように形成されたキャップへの挿入部材７Ｂを用いて化粧品収納容器１Ｃを構成しても、前記本発明の第３の実施の形態と同様な作用効果が得られるとともに、容易にキャップへの挿入部材７Ｂを製造することができる。
なお、本発明の実施の形態において、前記本発明の第２の実施の形態の内筒部材１３Ａを用いた化粧品収納容器にしてもよい。
【００２０】
図２２ないし図２４に示す本発明の第５の実施の形態において、前記本発明の第１の実施の形態と主に異なる点は、底面に治具挿入孔２７が形成されたハカマ部材２Ｂと、キャップへの挿入部材７Ｂの下端部の係合部２８と抜け脱不能に係合する係合片２９、２９が形成された内筒部材１３Ｂと、前記ハカマ部材２Ｂ内に前記治具挿入孔２７からの治具３０による押し圧によって上方へ移動して、キャップへの挿入部材７Ｂの係合部２８と係合している内筒部材１３Ｂの係合片２９の係合を解除する係合解除部材３１とを用いた点で、このように構成した化粧品収納容器１Ｄにすることにより、治具３０を用いなければ容易に外すことができず、使用中の分解を確実に防止することができる。
【００２１】
図２５ないし図２７に示す本発明の第６の実施の形態において、前記本発明の第５の実施の形態と主に異なる点は、四角形状のハカマ部材２Ａと、このハカマ部材２Ａとの嵌合部およびキャップ嵌合部３Ａが四角形状に形成されたキャップへの挿入部材７Ａと、四角形状のキャップ１９Ａとを用いた点で、このように構成した化粧品収納容器１Ｅにしても、前記本発明の第５の実施の形態と同様な作用効果が得られる。
【００２２】
図２８および図２９に示す本発明の第７の実施の形態において、前記本発明の第４の実施の形態と主に異なる点は、ハカマ部材２Ａ内に嵌合固定される上部にキャップ嵌合部３Ａが形成されるとともに、下部よりの部位に撓み防止片６、６が形成された上部キャップへの挿入部材２５Ａと、この上部キャップへの挿入部材２５Ａの下部に位置される内筒部材嵌合固定手段５が形成された下部キャップへの挿入部材２６Ａとからなるキャップへの挿入部材７Ｃを用いた点で、このように形成されたキャップへの挿入部材７Ｃを用いて化粧品収納容器１Ｆを構成しても、前記本発明の第４の実施の形態と同様な作用効果が得られる。
【００２３】
図３０および図３１に示す本発明の第８の実施の形態において、前記本発明の第７の実施の形態と主に異なる点は、キャップ嵌合部３Ａおよび下部よりの部位も同じ寸法の四角形状に形成されたキャップへの挿入部材７Ｄを用いた点で、このように構成した化粧品収納容器１Ｇにしても、前記本発明の第６の実施の形態と同様な作用効果が得られる。
【００２４】
図３２および図３３に示す本発明の第９の実施の形態において、前記本発明の第８の実施の形態と主に異なる点は、キャップ嵌合部のないキャップへの挿入部材７Ｅを用いるとともに、外筒部材１６と嵌合するキャップ中具３２を備えるキャップ１９Ｂを用いた点で、このように構成した化粧品収納容器１Ｈにしても、前記本発明の第８の実施の形態と同様な作用効果が得られる。
【００２５】
【発明の効果】
以上の説明から明らかなように、本発明にあっては次に列挙する効果が得られる。
【００２６】
（１）ハカマ部材と、このハカマ部材内に嵌合固定される上部にキャップ嵌合部が形成され下部寄りの部位に内筒部材嵌合固定手段および撓み防止片が形成されたキャップへの挿入部材と、このキャップへの挿入部材内に挿入され、内筒部材嵌合固定手段によって嵌合固定される外周部に係合溝が形成された内筒部材と、この内筒部材の係合溝形成部位に形成された前記キャップへの挿入部材の撓み防止片と嵌合する切り溝と、前記キャップへの挿入部材内に下部が挿入されるとともに、前記内筒部材の上部寄りの部位を覆い、該内筒部材の係止溝と回動可能に係合する係止片が下部寄りの部位に形成された外筒部材と、この外筒部材内に上下移動可能に取付けられた化粧品を支持する皿部材と、前記ハカマ部材と前記外筒部材とを回動させることにより前記皿部材を上下移動させることができる上下移動機構とで構成されているので、ハカマ部材を外した状態でキャップへの挿入部材と外筒部材とを持って引張ることにより、キャップへの挿入部材の内筒部材嵌合固定手段より内筒部材が外れ、抜き取ることができるとともに、内筒部材と外筒部材とを持って引張ることにより、外筒部材の係止片と係合している内筒部材の係止溝形成部位が容易に変形して外れ、抜き取ることができる。
したがって、化粧品の充填後に交換作業も容易に行なうことができ、従来のように全体を廃棄処分する必要がなく、経済的に使用することができる。
【００２７】
（２）前記（１）によって、組み付けられた状態で外筒部材をハカマ部材より抜き取る方向に力を加えても、外筒部材の係止片と内筒部材の係止溝との係合状態の解除をキャップへの挿入部材や撓み防止片で阻止することができる。
したがって、使用者が使用中に分解される事故を効率よく阻止することができる。
【００２８】
（３）前記（１）によって、各部品に容易に分解することができるので、再使用や材質毎に分別して再利用することができ、経済的に利用することができる。
【００２９】
（４）請求項２、３、４も前記（１）〜（３）と同様な効果が得られる。
【図面の簡単な説明】
【図１】本発明の第１の実施の形態の断面図。
【図２】本発明の第１の実施の形態のハカマ部材の説明図。
【図３】本発明の第１の実施の形態のキャップへの挿入部材の説明図。
【図４】本発明の第１の実施の形態の内筒部材の説明図。
【図５】本発明の第１の実施の形態の外筒部材の説明図。
【図６】本発明の第１の実施の形態の皿部材の説明図。
【図７】本発明の第１の実施の形態のキャップの説明図。
【図８】皿部材と内筒部材の組み付け状態の説明図。
【図９】内筒部材と外筒部材の組み付け状態の説明図。
【図１０】キャップへの挿入部材と内筒部材の組み付け状態の説明図。
【図１１】ハカマ部材とキャップへの挿入部材の組み付け状態の説明図。
【図１２】本発明の第２の実施の形態の断面図。
【図１３】本発明の第２の実施の形態の内筒部材の説明図。
【図１４】本発明の第２の実施の形態のキャップへの挿入部材の説明図。
【図１５】本発明の第３の実施の形態の断面図。
【図１６】本発明の第３の実施の形態のハカマ部材の説明図。
【図１７】本発明の第３の実施の形態のキャップへの挿入部材の説明図。
【図１８】本発明の第３の実施の形態のキャップの説明図。
【図１９】本発明の第４の実施の形態の断面図。
【図２０】本発明の第４の実施のキャップへの挿入部材の分解図。
【図２１】キャップへの挿入部材の組み付けた状態の説明図。
【図２２】本発明の第５の実施の形態の断面図。
【図２３】本発明の第５の実施の形態の内筒部材の説明図。
【図２４】本発明の第５の実施の形態の治具を用いて外す場合の説明図。
【図２５】本発明の第６の実施の形態の断面図。
【図２６】本発明の第６の実施の形態のハカマ部材の説明図。
【図２７】本発明の第６の実施の形態のキャップへの挿入部材の説明図。
【図２８】本発明の第７の実施の形態の断面図。
【図２９】本発明の第７の実施の形態の要部説明図。
【図３０】本発明の第８の実施の形態の断面図。
【図３１】本発明の第８の実施の形態の要部説明図。
【図３２】本発明の第９の実施の形態の断面図。
【図３３】本発明の第９の実施の形態の要部説明図。
【符号の説明】
１、１Ａ〜１Ｈ：化粧品収納容器、
２、２Ａ、２Ｂ：ハカマ部材、
３、３Ａ：キャップ嵌合部、
４：突起、              ５：内筒部材嵌合固定手段、
６：撓み防止片、        ７、７Ａ〜７Ｅ：キャップへの挿入部材、
８：係合溝、            ９：切欠部、
１０：突起、            １１：回動抵抗付与部、
１２：係止溝、          １３、１３Ａ、１３Ｂ：内筒部材、
１４：切り溝、          １５：係止片、
１６：外筒部材、        １７：皿部材、
１８：上下移動機構、    １９、１９Ａ：キャップ、
２０：ガイド溝、        ２１：係合片、
２２：抜け止め部材、    ２３：ねじ棒、
２４：ねじ孔、          ２５：上部キャップへの挿入部材、
２６：下部キャップへの挿入部材、
２７：治具挿入孔、      ２８：係合部、
２９：係合片、          ３０：治具、
３１：係合解除部材。
【図１】
0003772042.tif 000002
【図２】
0003772042.tif 000003
【図３】
0003772042.tif 000004
【図４】
0003772042.tif 000005
【図５】
0003772042.tif 000006
【図６】
0003772042.tif 000007
【図７】
0003772042.tif 000008
【図８】
0003772042.tif 000009
【図９】
0003772042.tif 000010
【図１０】
0003772042.tif 000011
【図１１】
0003772042.tif 000012
【図１２】
0003772042.tif 000013
【図１３】
0003772042.tif 000014
【図１４】
0003772042.tif 000015
【図１５】
0003772042.tif 000016
【図１６】
0003772042.tif 000017
【図１７】
0003772042.tif 000018
【図１８】
0003772042.tif 000019
【図１９】
0003772042.tif 000020
【図２０】
0003772042.tif 000021
【図２１】
0003772042.tif 000022
【図２２】
0003772042.tif 000023
【図２３】
0003772042.tif 000024
【図２４】
0003772042.tif 000025
【図２５】
0003772042.tif 000026
【図２６】
0003772042.tif 000027
【図２７】
0003772042.tif 000028
【図２８】
0003772042.tif 000029
【図２９】
0003772042.tif 000030
【図３０】
0003772042.tif 000031
【図３１】
0003772042.tif 000032
【図３２】
0003772042.tif 000033
【図３３】
0003772042.tif 000034